(57)【要約】【課題】遠赤外線断熱糸構造を提供する。【解決手段】遠赤外線断熱糸構造は外部層１、中間層２を備え、外部層１は相互に混合した遠赤外線繊維１１と発熱繊維１２を備え、撚り合わせて複数本の撚糸１３とし、中間層２は赤外線反射繊維２１により組成される撚糸を備え、外部層１に包み込まれ、外部層１は外来の赤外線を吸収し遠赤外線と熱エネルギーに転換し、熱エネルギーを利用し遠赤外線のエネルギーを高め、吸收されなかった一部の赤外線は複数本の撚糸１３の間の間隙から中間層２に進入し中間層２に反射されて該外部層１へと戻り、外部層１は反射した赤外線を遠赤外線と熱エネルギーに転換し、遠赤外線のエネルギーは二度上昇し、赤外線を反射するため断熱効果を備え、熱エネルギーと反射された赤外線を利用し、遠赤外線のエネルギーを高められ、遠赤外線エネルギー増強の効果を備える。【選択図】図２
0003234947.tif 000002
【実用新案登録請求の範囲】
【請求項１】
遠赤外線断熱糸構造は、外部層、中間層を備え、
該外部層は、相互に混合した遠赤外線繊維と発熱繊維を備え、撚り合わせて、複数本の撚糸とし、
該中間層は、赤外線反射繊維により組成される撚糸を備え、該外部層に包み込まれることを特徴とする遠赤外線断熱糸構造。
【請求項２】
前記遠赤外線繊維と該発熱繊維は、短繊維で、混紡方式により、該複数本の撚糸を形成することを特徴とする請求項１に記載の遠赤外線断熱糸構造。
【請求項３】
前記遠赤外線繊維と該発熱繊維は、長繊維で、コンベンショナルロービング方式により、該複数本の撚糸を形成することを特徴とする請求項１に記載の遠赤外線断熱糸構造。
【請求項４】
前記複数本の撚糸は、コンベンショナルロービング撚糸或いは混紡撚糸であることを特徴とする請求項１に記載の遠赤外線断熱糸構造。
【請求項５】
前記外部層は、カバードヤーン方式により、該中間層を包み込むことを特徴とする請求項１に記載の遠赤外線断熱糸構造。
【請求項６】
前記遠赤外線繊維は、繊維中に、ナノレベル或いはマイクロレベルのセラミック鉱物粉末或いは二酸化ケイ素、酸化アルミニウム、酸化カルシウム、酸化マグネシウム、二酸化チタン、炭化物、ジルコニア、磁性粒子等酸化物を加えて製造することを特徴とする請求項１に記載の遠赤外線断熱糸構造。
【請求項７】
前記発熱繊維は、繊維中にカーボン素材或いは導電性材料等の赤外線吸收材料を加えて製造することを特徴とする請求項１に記載の遠赤外線断熱糸構造。
【請求項８】
前記赤外線反射繊維は、繊維中に反射材料を加え、該反射材料は、二酸化チタン表面に酸化物をメッキして組成する粉末から選択することを特徴とする請求項１に記載の遠赤外線断熱糸構造。
【考案の詳細な説明】
【技術分野】
【０００１】
本考案は撚糸構造に関し、特に赤外線の貫通率を低下させ、しかも遠赤外線を放出でき、同時に遠赤外線のエネルギーを高められる遠赤外線断熱糸構造に関する。
【背景技術】
【０００２】
屋外で活動する際に受ける熱は、太陽光中の赤外線（太陽光中の５０％を占める）照射による。
断熱糸は赤外線を効果的に反射でき、肌を保護し、熱を遮蔽することで、皮膚の損傷を回避できる。
健康的な生活と仕事に対する要求が高まるに従い、断熱糸の応用もますます広がっている。
断熱糸は、一種の機能性撚糸で、布地を構成する。
当該布地を使用することで、布地に柔軟性を与えながら、断熱効果をも備える。
【０００３】
特許文献１に開示する断熱布地とその製造方法は、断熱層、第一保温層及び第二保温層を備える。
断熱層上には、ナノコーティング層を塗布し包まれた防水層を備え、断熱層は金属糸、麻糸、羊毛糸、コットン糸を採用し相互に編織して構成される。
金属糸は、第一金属糸と第二金属糸を備える。
第一金属糸と第二金属糸の外表面には、断熱粉材料を採用し、断熱機能を実現する。
【０００４】
しかし、金属糸で作られた布地は柔軟性が劣り、しかも金属は高価で、また金属糸表面に塗布された断熱粉は密着性が悪く、洗浄により剥がれ落ちやすい。
そのため、断熱機能を徐々に失われ、その機能にも限界がある。
すなわち、上記した欠点及び問題が、本考案人が解決しようとする技術困難点の所在である。
【先行技術文献】
【特許文献】
【０００５】
【特許文献１】中国特許第ＣＮ１０７２６３９５１Ａ号
【考案の概要】
【考案が解決しようとする課題】
【０００６】
本考案の目的は、従来の構造に存在する問題と欠点を解決及び改善できる遠赤外線断熱糸構造を提供することである。
【課題を解決するための手段】
【０００７】
本考案による遠赤外線断熱糸構造は、外部層及び中間層を備え、該外部層は、相互に混合した遠赤外線繊維と発熱繊維を備え、撚り合わせて、複数本の撚糸とし、該中間層は、赤外線反射繊維により組成される撚糸を備え、該外部層に包み込まれる。
【０００８】
好ましくは、該遠赤外線繊維と該発熱繊維は、短繊維で、混紡方式により、該複数本の撚糸を形成する。
【０００９】
好ましくは、該遠赤外線繊維と該発熱繊維は、長繊維で、コンベンショナルロービング方式により、該複数本の撚糸を形成する。
【００１０】
好ましくは、該複数本の撚糸は、コンベンショナルロービング撚糸或いは混紡撚糸である。
【００１１】
好ましくは、該外部層は、カバードヤーン方式により、該中間層を包み込む。
【００１２】
好ましくは、該遠赤外線繊維は、繊維中に、ナノレベル或いはマイクロレベルのセラミック鉱物粉末或いは二酸化ケイ素、酸化アルミニウム、酸化カルシウム、酸化マグネシウム、二酸化チタン、炭化物、ジルコニア、磁性粒子等酸化物を加えて製造する。
【００１３】
好ましくは、該発熱繊維は、繊維中にカーボン素材或いは導電性材料等の赤外線吸收材料を加えて製造する。
【００１４】
好ましくは、該赤外線反射繊維は、繊維中に反射材料を加え、該反射材料は、二酸化チタン表面に酸化物をメッキし組成した粉末から選択する。
【考案の効果】
【００１５】
上記したように、該外部層外来の赤外線を吸収し、遠赤外線と熱エネルギーに転換し、しかも熱エネルギーを利用して、遠赤外線のエネルギーを高め、吸收されなかった一部の赤外線は該複数本の撚糸の間の間隙から該中間層に進入し、該中間層に反射されて該外部層へと戻り、該外部層により、反射した赤外線を遠赤外線と熱エネルギーに転換し、こうして遠赤外線のエネルギーは二度上昇する。
本構造は赤外線を吸收して遠赤外線に転換し、赤外線を反射でき、断熱効果を備え、及び赤外線の貫通率を低下させられ、しかも同時に熱エネルギーと反射された赤外線を利用し、遠赤外線のエネルギーを高められ、遠赤外線エネルギー増強の効果を備える。
【図面の簡単な説明】
【００１６】
【図１】遠赤外線断熱糸構造の断面模式図である。
【図２】遠赤外線断熱糸構造の断面側視図である。
【図３】遠赤外線断熱糸構造の模式図である。
【図４】遠赤外線繊維と発熱繊維が短繊維で、混紡方式で複数本の撚糸を形成する模式図である。
【図５】遠赤外線繊維と発熱繊維が長繊維で、コンベンショナルロービング方式で複数本の撚糸を形成する模式図である。
【考案を実施するための形態】
【００１７】
図１及び図２に示すように、本考案による遠赤外線断熱糸構造は、外部層１及び中間層２を備える。
【００１８】
該外部層１は、相互に混合した遠赤外線繊維１１と発熱繊維１２を備え、該外部層１は、混紡或いはコンベンショナルロービング方式により、該遠赤外線繊維１１と該発熱繊維１２を相互に撚り、複数本の撚糸（ｔｗｉｓｔｅｄ  ｙａｒｎ）１３を構成し、該複数本の撚糸１３は該外部層１を形成する。
【００１９】
該遠赤外線繊維１１は、繊維中に、ナノレベル或いはマイクロレベルのセラミック鉱物粉末或いは二酸化ケイ素、酸化アルミニウム、酸化カルシウム、酸化マグネシウム、二酸化チタン、炭化物、ジルコニア、磁性粒子等酸化物を加えて製造する。
【００２０】
該遠赤外線繊維１１は、赤外線を遠赤外線に転換し、該発熱繊維１２は、繊維中にカーボン素材或いは導電性材料等の赤外線吸收材料を加えて製造し、該発熱繊維１２は、赤外線を熱エネルギーに転換する。
【００２１】
該遠赤外線繊維１１と該発熱繊維１２は、短繊維或いは長繊維で、実際の必要に応じて選択し、短繊維は、混紡工程を経て２種の機能の繊維を均一に混合し複合撚糸を製造し、長繊維は、コンベンショナルロービング工程により２種の機能繊維を合糸する。
【００２２】
具体的な実施においては、該遠赤外線繊維１１と該発熱繊維１２が短繊維である時、原料はバラバラの繊維の塊或いは束で、先ず混合し、一本の繊維の状態に梳き、繊維をまっすぐ、かつ相互平行に並べる。
次に複数の繊維を合わせて撚り、原糸とし、最後に細撚糸に紡績する。
細撚糸中には、２種の繊維が均一に含まれ、その後、多数の細撚糸を撚り合わせて、該複数本の撚糸１３を形成する。
【００２３】
該複数本の撚糸１３は、長繊維工程の遠赤外線撚糸と発熱撚糸を使用することもでき、コンベンショナルロービング工程を経て、２種の撚糸を形成し、合糸して複合撚糸とする。
【００２４】
図４に示すように、該複数本の撚糸１３は、短繊維混紡の撚糸である。
【００２５】
図５に示すように、該複数本の撚糸１３は、長繊維工程の遠赤外線撚糸と発熱撚糸を使用し、コンベンショナルロービング工程を経て、合糸して形成する。
【００２６】
図２及び図３に示すように、該中間層２は、赤外線反射繊維２１により組成される撚糸を備え、該外部層１に包み込まれ、しかも該外部層１は、カバードヤーン方式により中間層２を包み込む。
【００２７】
該赤外線反射繊維２１は、繊維中に反射材料を加え、該反射材料は、二酸化チタン表面に酸化物をメッキし組成した粉末より選択し、該赤外線反射繊維２１は、赤外線を反射する。
【００２８】
こうして、本構造の外部の撚糸は、該遠赤外線繊維１１と該発熱繊維１２の２種の繊維を備え、該遠赤外線繊維１１は、吸收した赤外線を遠赤外線に転換し、該発熱繊維１２は、吸收した赤外線を熱エネルギーに転換し、これにより該外部層１の温度は上昇し、遠赤外線のエネルギーと温度には関係があるため、遠赤外線のエネルギーをさらに高めることができる。
【００２９】
該遠赤外線繊維１１と該発熱繊維１２は好ましくは、短繊維で、相互混合と紡績を経て撚糸に製造され、該発熱繊維１２の温度上昇作用により、該遠赤外線繊維１１に素早く伝えられる。
【００３０】
しかも、該遠赤外線繊維１１と該発熱繊維１２の、この２種の繊維を混合することで、該外部層１は、遠赤外線のエネルギーを高められる他、該発熱繊維１２を該外部層１に単独で使用する場合に比べ、２種の繊維を混合した該外部層１は、より多くの赤外線を吸収でき、より優れた断熱効果を備える。
【００３１】
本構造中間の撚糸は、赤外線を反射できる撚糸で、しかも反射率が高い赤外線反射繊維２１を選択し、該外部層１は、撚糸（即ち該複数本の撚糸１３）であるため、間隙は必ず存在する。
そのため、赤外線は、該複数本の撚糸１３の間の間隙を経て該中間層２に入り、該中間層２は、赤外線を反射して該外部層１に戻し、反射された赤外線は再び該外部層１に吸收され、遠赤外線に転換されて、遠赤外線のエネルギーをさらに高めることができる。
同時に赤外線を反射するため、赤外線の貫通率を低下させ、赤外線の高遮蔽効果を形成する。
【００３２】
これにより、該外部層１外来の赤外線を吸収し、遠赤外線と熱エネルギーに転換し、しかも熱エネルギーを利用して遠赤外線のエネルギーを高め、吸收されなかった一部の赤外線は該複数本の撚糸１３の間の間隙から該中間層２に進入し、該中間層２に反射されて該外部層１へと戻り、該外部層１により、反射した赤外線を遠赤外線と熱エネルギーに転換し、こうして遠赤外線のエネルギーは二度上昇する。
【００３３】
本構造は赤外線を吸收して遠赤外線に転換し、赤外線を反射でき、断熱効果を備え、及び赤外線の貫通率を低下させられ、しかも同時に熱エネルギーと反射された赤外線を利用し、遠赤外線のエネルギーを高められ、遠赤外線エネルギー増強の効果を備える。
【産業上の利用可能性】
【００３４】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３５】
１  外部層
１１  遠赤外線繊維
１２  発熱繊維
１３  複数本の撚糸
２  中間層
２１  赤外線反射繊維
【図１】
0003234947.tif 000003
【図２】
0003234947.tif 000004
【図３】
0003234947.tif 000005
【図４】
0003234947.tif 000006
【図５】
0003234947.tif 000007